(57)【要約】【課題】本発明は、ケーブル用の保護管である多角シースに関し、グラウトの充填をスムーズにしてなおかつ充填量を節約し、外圧に強いシースにすることが課題である。    【解決手段】ケーブルの外側を遊嵌する保護管としての合成樹脂製のシースにおいて、前記シースの本体２の断面形状が多角形であって、前記シースの本体２の外周に、外形状が略円形状若しくは略楕円形状で任意幅の補強リブ３がシースの軸芯方向ａに併設されている多角シース１とする。【選択図】図１
2006257655.tif 000002
【特許請求の範囲】
【請求項１】
ケーブルの外側を遊嵌する保護管としての合成樹脂製のシースにおいて、
前記シースの本体の断面形状が多角形であって、
前記シースの本体の外周に、外形状が略円形状若しくは略楕円形状で前記本体の外周の周方向に巻かれた任意幅の補強リブが、シースの軸芯方向に適宜間隔を置いて併設されていること、
を特徴とする多角シース。
【請求項２】
ケーブルの外側を遊嵌する保護管としての合成樹脂製のシースにおいて、
前記シースの本体の断面形状が多角形であって、
前記シースの本体の外周に、外形状が略円形状若しくは略楕円形状で任意幅の補強リブが前記本体の外周の周方向に螺旋状に巻かれて設けられていること、
を特徴とする多角シース。
【請求項３】
シースの本体の断面形状が、多角形のうちの六角形であること、
を特徴とする請求項１乃至２に記載の多角シース。
【請求項４】
シースの本体と、補強リブとが一体に成形されていること、
を特徴とする請求項１乃至３に記載の多角シース。
【発明の詳細な説明】
【技術分野】
【０００１】
本発明は、例えば、ＰＣ橋桁や橋脚等において、ＰＣ鋼より線を束ねてなるプレストレストコンクリート用のケーブルを遊嵌して保護する多角シースに関するものである。
【背景技術】
【０００２】
従来、例えば、ＰＣ鋼より線からなるケーブルを保護する保護管１５は、図７に示すように、ＰＣ鋼より線１１を束ねて潤滑剤１２を塗布し、その外側をポリエチレン等の合成樹脂製カバー１３で被覆させたアンボンドタイプのケーブルを、間隙１４をおいて被覆して保護するものである。また、図８に示すように、ＰＣ鋼より線１１を略六角形に束ねて合成樹脂１６で接着させた付着タイプのケーブルを、間隙１７をおいて保護する保護管１５もある。このように、通常は、ケーブルに対して、円形状の筒体で保護する保護管１５が知られている（特許文献１参照）。
【特許文献１】特開平０８−６０６１５号公報
【発明の開示】
【発明が解決しようとする課題】
【０００３】
しかし、従来の保護管１５では、円筒体であるため六角形のケーブルに対しては間隙１７部分が薄肉部分１７ａと厚肉部分１７ｂとが生じて不均一となり、グラウト材が均一に充填されず無駄になる部分があるとともに、充填作業もスムーズに行かず作業能率が悪くなる。また、単に保護管の外形状を多角形にすることが知られているが、それには長手方向に切り割りを入れてそこに嵌合部を形成する必要がある。多角形状のシースの表面に突起物を設けると、成形する金型の関係上、定尺物になって、遊嵌するケーブルの長さに合わせて接続する手間が掛かる。更に、その多角形保護管を保管した場合や、輸送上において積み重ねたりした場合に、外圧で変形しやすいという課題もある。本発明に係る多角シースは、このような課題を解決するために提案されたものである。
【課題を解決するための手段】
【０００４】
本発明に係る多角シースの上記課題を解決して目的を達成するための要旨は、ケーブルの外側を遊嵌する保護管としての合成樹脂製のシースにおいて、前記シースの本体の断面形状が多角形であって、前記シースの本体の外周に、外形状が略円形状若しくは略楕円形状で前記本体の外周の周方向に巻かれた任意幅の補強リブが、シースの軸芯方向に適宜間隔を置いて併設されていること、である。
【０００５】
また、ケーブルの外側を遊嵌する保護管としての合成樹脂製のシースにおいて、前記シースの本体の断面形状が多角形であって、前記シースの本体の外周に、外形状が略円形状若しくは略楕円形状で任意幅の補強リブが前記本体の外周の周方向に螺旋状に巻かれて設けられていることである。
更に、前記シースの本体の断面形状が、多角形のうちの六角形であること、；
前記シースの本体と、補強リブとが一体に成形されていることを含むものである。
【発明の効果】
【０００６】
本発明の多角シース、特に六角シースによれば、断面形状が六角形状のケーブルを遊嵌してその空隙にグラウト材を充填すると、均一な空隙に充填することになって、円筒シースの場合よりも無駄な充填が無く、充填材料を約２０％程度減量させることが可能となりコスト低減と工期短縮となる。ケーブルが略円形状の場合でも、同径の円筒シースに比べて六角シースにすることで充填材料を１０〜１５％程度減量させることができる。
また、そればかりでなく、補強リブにより、ケーブルの長さに対応させて形成される多角シースを積み重ねて保管したり、ケーブルを内挿させてアッセンブリ状態にし、シースの可撓性により丸めて輸送手段で輸送したりする場合にも、多角形状のシース本体が潰れることがない。
【０００７】
また、前記補強リブを螺旋状に巻くことで、平行に多数併設させる場合に比べて、補強リブ用の使用材料が少なくて済むので、コスト低減となる。
更に、多角シースにおける本体と補強リブとを一体に成形することで、当該補強リブを別体で成形して一本物の本体の表面に溶着する作業が解消される。また、ケーブルの長さに対応させて一本物でこの多角シースを成形することで、従来のように定尺物を多数箇所で接続するという煩わしさが無く作業能率が向上する。
【発明を実施するための最良の形態】
【０００８】
本発明に係る多角シース１は、例えば、本体の断面形状が四角形，五角形，六角形，八角形等であって、以下、作用・効果が同様であるので、そのうち最も実用的な六角形の断面形状である場合を代表させて説明する。図１乃至図３に示すように、例えばＰＣ橋梁等におけるケーブルの外側を遊嵌する保護管としての合成樹脂製（例えば、ポリエチレン製）のシースであって、前記シース１の本体２の断面形状が六角形である。
【０００９】
そして、前記シースの本体２の外周に、外形状が略円形状若しくは略楕円形状で前記本体２の外周の周方向に巻かれた任意幅ｂの補強リブ３が、シース１の軸芯方向ａに適宜間隔ｃを置いて併設されている。
【００１０】
前記補強リブ３は、前記軸芯方向ａに直交する方向に平行にして設けられている。また、この補強リブ３の外形状が、円形にして示されているが、これに限らず、楕円形状でも良く、その場合には、この六角シース１を床面上に載置した時に、転がることなく静止することになる。
【００１１】
前記六角シース１の製造方法は、押出成型用の押出機と、製造工程の後段に設けられるコルゲーターによるバキューム式の成形機とにより成形される。その一例として、前記押出機のダイから押し出された溶融樹脂が、コルゲーターのモールドブロック（成形金型）の内壁に吸引密着され、このキャタピラー式に連結されたモールドブロックが二つ割りで連続して挟装していくことで、連続成形されるものである。よって、保護対象のケーブルの長さに合わせて適宜箇所で切断して使用される。こうして、前記本体２と補強リブ３とが一体に成形されるものである。
【００１２】
前記六角シース１を、ＰＣ橋梁等におけるケーブルに被覆させて使用すると、図４に示すように、ＰＣ鋼より線１１の７本よりのケーブルが略六角形になり、本体２の内壁面との間の間隙１８が、各々ほぼ等しい断面の間隙１８ａ，１８ｂ，１８ｃ、…となる。これにより、各間隙１８ａ、…に充填されるグラウト材が、偏ることなく均一に充填されて、充填作業もスムーズになる。
【００１３】
また、通常の円筒のシースである場合に比べて、前記グラウト使用量が、約２０％程度減少する。円形状のケーブルの場合でも、グラウト使用量が、１０〜１５％程度減少する。更に、前記補強リブ３により、在庫時に積み重ねた場合でも、ケーブルを六角シース内に挿通させてリング状に巻いて荷作りしこれを積み重ねて輸送しても、シースの本体２が変形することがない。
【００１４】
更に、前記ケーブルが略円形状である場合に、前記六角シース１は、円筒形のシースに比べて、シース内部で前記ケーブルが偏った時に、前記六角シースは角部があることでＰＣ鋼より線とシース内面との接触率が低く、ＰＣ鋼より線とシースとの間に空隙が出来やすくなり、効果的なグラウトが行えるものである。
【００１５】
本発明の他の実施例として、図５に示すように、補強リブ３ａが、軸芯方向ａに対して、ある角度で傾斜した状態で、その軸芯方向ａに平行に併設させたものである。このようにすることで、軸芯方向ａに直交する方向において補強リブ３ａが常に複数本存在するようになり、多角形の本体２の表面をほぼ全域に渡って補強リブ３ａがカバーするようになるので、強度的に一層強くなるものである。
【００１６】
更に、他の実施例として、図６に示すように、補強リブ３ｂが、外形状が略円形状若しくは略楕円形状で任意幅で、前記本体２の外周の周方向に螺旋状に巻かれて設けられている六角シース１ｂである。
【００１７】
この螺旋状の補強リブ３ｂにより、前記傾斜させた場合の補強リブ３ａと同様な強度が本体２に得られると共に、リブ長さが前記補強リブ３ａに比べて省略されて減ることになり、その分だけ合成樹脂使用量を減少させることができるものである。
【図面の簡単な説明】
【００１８】
【図１】本発明に係る六角シース１の斜視図である。
【図２】同本発明の六角シース１の正面図である。
【図３】同本発明の六角シース１の側面図である。
【図４】同本発明の六角シース１の使用状態における側面図である。
【図５】同本発明の他の実施例に係るの六角シース１ａの斜視図（Ａ）、正面図（Ｂ）である。
【図６】同本発明の他の実施例に係るの六角シース１ｂの正面図である。
【図７】従来例に係るシース１５の使用状態における側面図である。
【図８】従来例に係るシース１５の、六角形状のケーブルの場合の使用状態における側面図である。
【符号の説明】
【００１９】
１，１ａ，１ｂ          六角シース、
２                      シースの本体、
３，３ａ，３ｂ          補強リブ、
１１                    ＰＣ鋼より線、
１２                    潤滑剤、
１３                    カバー、
１４                    間隙、
１５                    保護管、
１６                    合成樹脂、
１７                    間隙、
１７ａ                  薄肉部分、        １７ｂ            厚肉部分、
１８，１８ａ，１８ｂ，１８ｃ                                間隙。
【図１】
2006257655.tif 000003
【図２】
2006257655.tif 000004
【図３】
2006257655.tif 000005
【図４】
2006257655.tif 000006
【図５】
2006257655.tif 000007
【図６】
2006257655.tif 000008
【図７】
2006257655.tif 000009
【図８】
2006257655.tif 000010